(57)【要約】【課題】光ヘッドにおいて、２連以上の連数をもつ連コイルの全体の高さを抑制でき、かつ各方向の制御を適切に行えるコイルの製造方法及び対物レンズ駆動装置を提供する。【解決手段】上段コイル部を構成する２つのコイル部２−１及び２−２のうちのコイル部２−１を、下段コイル部を構成する２つのコイル部１−１及び１−２のうちのコイル部１−２の巻回部分の内側から外側に通し、上段コイル部であるコイル部２−１の内側引き出し線を、下段コイル部のコイル部１−１の巻回部分の内側を通してコイル部１−１の巻回部分の外側に引き出す。【選択図】図１１
2008077731.tif 000002
【特許請求の範囲】
【請求項１】
少なくとも２つのコイル部が導体の部材を介して接続されてなる連コイルを上下少なくとも２段に重ねて構成されるコイルの製造方法であって、
上段の連コイルとして構成される２つの上段コイル部のうちの一方のコイル部の外側引き出し線と、前記上段コイル部のうちの他方のコイル部の内側引き出し線とを接続するステップと、
下段の連コイルとして構成される２つの下段コイル部のうちの一方のコイル部の外側引き出し線と、前記下段コイル部のうちの他方のコイル部の内側引き出し線とを接続するステップと、
前記上段コイル部又は前記下段コイル部を構成する２つのコイル部のうちのいずれかのコイル部を、前記下段コイル部又は前記上段コイル部を構成する２つのコイル部のうちのいずれかの巻回部分の内側から外側に通すステップと、
前記上段コイル部又は前記下段コイル部のいずれかの内側引き出し線を、前記下段コイル部又は前記上段コイル部のいずれかの巻回部分の内側を通してその巻回部分の外側に引き出すステップとを備えたことを特徴とするコイルの製造方法。
【請求項２】
前記上段コイル部を構成する２つのコイル部の各外側引き出し線と、前記上段コイル部を構成する２つのコイル部の各内側引き出し線とが、前記上段コイル部の各巻回部分についてそれぞれ反対側に形成された場合には、
前記下段コイルを構成する一方のコイル部の内側引き出し線を、前記上段コイル部を構成する他方のコイル部の巻回部分の内側を通して、前記下段コイル部を構成する他方のコイル部の内側引き出し線と接続することを特徴とする請求項１記載のコイルの製造方法。
【請求項３】
前記上段コイル部を構成する２つのコイル部の各外側引き出し線と、前記上段コイル部を構成する２つのコイル部の各内側引き出し線とが、前記上段コイル部の各巻回部分についてそれぞれ同じ側に形成された場合には、
前記下段コイル部を構成する一方のコイル部の外側引き出し線を、前記上段コイル部を構成する他方のコイル部の巻回部分の内側を通して、前記下段コイル部を構成する他方のコイル部の内側引き出し線と接続することを特徴とする請求項１記載のコイルの製造方法。
【請求項４】
前記いずれかのコイル部を、前記いずれかの巻回部分の内側から外側に通すステップでは、
前記他のコイル部の巻回部分の内径面積よりも小さい面積の面部を有するコイル部を、前記いずれかの巻回部分の内側から外側に通すことを特徴とする請求項１〜請求項３のいずれかに記載のコイルの製造方法。
【請求項５】
少なくとも２つのコイル部が導体の部材を介して接続されてなる連コイルを上下少なくとも２段に重ねて構成されるコイルの製造方法であって、
一方の引き出し線と他方の引き出し線とが巻回部分について同じ側に形成され上段の連コイルとして構成される偶数巻きの２つの上段コイル部のうちの一方のコイル部の外側引き出し線と、前記上段コイル部のうちの他方のコイル部の内側引き出し線とを前記導体の部材を介して接続するステップと、
一方の引き出し線と他方の引き出し線とが巻回部分について同じ側に形成され下段の連コイルとして構成される偶数巻きの２つの下段コイル部のうちの一方のコイル部の外側引き出し線と、前記下段コイル部のうちの他方のコイル部の内側引き出し線とを前記導体の部材を介して接続するステップと、
接続された前記上段コイル部と、接続された前記下段コイル部とが２段に重なるように、前記上段コイル部と前記下段コイル部とを配置するステップとを備えたことを特徴とするコイルの製造方法。
【請求項６】
前記上段コイル部の他方のコイル部の外側引き出し線を、前記他方のコイル部の巻回部分の外側を通して、前記他方のコイル部の下方に引き出すステップと、
前記上段コイル部の一方のコイル部の内側引き出し線を、前記一方のコイル部の巻回部分の内側を通して、前記一方のコイル部の下方に引き出すステップとを備えたことを特徴とする請求項５記載のコイルの製造方法。
【請求項７】
前記上段コイル部の一方のコイル部を、前記上段コイル部の他方のコイル部の巻回部分の内側から外側に通すステップと、
前記上段コイル部の他方のコイル部を上下に反転させるステップと、
前記上段コイルの一方のコイル部の内側引き出し線を、前記一方のコイル部の巻回部分の内側を通して、前記一方のコイル部の下方に引き出すステップとを備えたことを特徴とする請求項５記載のコイルの製造方法。
【請求項８】
少なくとも２つのコイル部が導体の部材を介して接続されてなる連コイルを上下少なくとも２段に重ねて構成されるコイルの製造方法であって、
一方の引き出し線と他方の引き出し線とが巻回部分について反対側に形成され上段の連コイルとして構成される奇数巻きの２つの上段コイル部のうちの一方のコイル部の外側引き出し線と、前記上段コイル部のうちの他方のコイル部の内側引き出し線とを前記導体の部材を介して接続するステップと、
前記導体の部材を介して接続された前記上段コイル部のいずれか一方のコイル部の上下を反転するステップと、
一方の引き出し線と他方の引き出し線とが巻回部分について反対側に形成され下段の連コイルとして構成される奇数巻きの２つの下段コイル部のうちの一方のコイル部の外側引き出し線と、前記下段コイル部のうちの他方のコイル部の内側引き出し線とを前記導体の部材を介して接続するステップと、
前記導体の部材を介して接続された前記下段コイル部のいずれか一方のコイル部の上下を反転するステップと、
いずれか一方のコイル部の上下が反転された前記上段コイル部と、いずれか一方のコイル部の上下が反転された前記下段コイル部とが２段に重なるように、前記上段コイル部と前記下段コイル部とを配置するステップとを備えたことを特徴とするコイルの製造方法。
【請求項９】
前記上段コイル部の他方のコイル部の外側引き出し線を、前記他方のコイル部の巻回部分の外側を通して、前記他方のコイル部の上方に引き出すステップと、
前記上段コイル部の一方のコイル部の内側引き出し線を、前記一方のコイル部の巻回部分の内側を通して、前記一方のコイル部の上方に引き出すステップとを備えたことを特徴とする請求項８記載のコイルの製造方法。
【請求項１０】
前記上段コイル部の他方のコイル部を上下に反転させるステップと、
前記上段コイル部の一方のコイル部を、前記他方のコイル部の巻回部分の内側から外側に通すステップと、
前記一方のコイル部の内側引き出し線を、前記一方のコイル部の巻回部分の内側を通して、前記一方のコイル部の上方に引き出すステップとを備えたことを特徴とする請求項８記載のコイルの製造方法。
【請求項１１】
複数のコイル部のローレンツ力により、光ディスクの記録面に光源からの光を集束させる対物レンズを、所望の方向に駆動させる対物レンズ駆動装置であって、
一方の引き出し線が巻回部分の外側に引き出されるとともに他方の引き出し線が前記巻回部分の内側に引き出されてなる２つのコイル部からなり、前記光ディスクに対する前記対物レンズの変位を前記フォーカス方向に調節させるローレンツ力を発生させるフォーカスコイルと、
一方の引き出し線が巻回部分の外側に引き出されるとともに他方の引き出し線が前記巻回部分の内側に引き出されてなる２つのコイル部からなり、前記対物レンズの前記光ディスクに対する傾きを調節させるローレンツ力を発生させるチルトコイルと、
前記対物レンズを移動可能に保持するとともに、前記フォーカスコイルと前記チルトコイルとを取り外し可能に保持するレンズホルダと、
前記フォーカスコイルと前記チルトコイルとにローレンツ力を発生させ、前記対物レンズを、少なくともフォーカス方向及びチルト方向に駆動させる駆動手段とを備え、
前記フォーカスコイルを構成する２つのコイル部と、前記チルトコイルを構成する２つのコイル部とが、導体の線材を介して接続されて上下２段に重ねられて配置され、
前記チルトコイルの一方のコイル部の外側又は内側の引き出し線が、前記フォーカスコイルの２つのコイル部のうちの前記チルトコイルの一方のコイル部に重ねられる前記フォーカスコイルの一方のコイル部と異なる前記フォーカスコイルの他方のコイル部の上部から、前記フォーカスコイルの他方のコイル部の巻回部分の内側を通って、前記チルトコイルの他方のコイル部の内側の引き出し線に接続されたことを特徴とする対物レンズ駆動装置。
【請求項１２】
前記外側引き出し線と、前記内側引き出し線とが、ともに、前記レンズホルダにおけるほぼ同じ位置に形成されたことを特徴とする請求項１１記載の対物レンズ駆動装置。
【請求項１３】
前記フォーカスコイルを構成する２つのコイル部を接続する導体の線材と、前記チルトコイルを構成する２つのコイル部を接続する導体の線材とが、ともに、前記レンズホルダにおけるほぼ同じ位置に形成されたことを特徴とする請求項１１記載の対物レンズ駆動装置。
【請求項１４】
前記フォーカスコイルを構成する２つのコイル部のうちの他方のコイル部が、内径Ａ＊内径Ｂ（Ａ≦Ｂ）の断面略四角形の巻回部分を有するとともに、
前記チルトコイルを構成する２つのコイル部のうちの一方のコイル部が、側面部の一辺の長さＣ＊側面部の一辺の長さＤ（Ｃ≦Ｄ）の巻回部分を有し、
前記側面部の一辺の長さＣ≦前記内径Ａかつ前記側面部の一辺の長さＤ≦前記内径Ｂであることを特徴とする請求項１１記載の対物レンズ駆動装置。
【請求項１５】
前記フォーカスコイルと前記チルトコイルとが密着されたことを特徴とする請求項１１記載の対物レンズ駆動装置。
【請求項１６】
前記フォーカスコイルと前記チルトコイルとが離れて構成されたことを特徴とする請求項１１記載の対物レンズ駆動装置。
【請求項１７】
前記フォーカスコイル又は前記チルトコイルが、請求項５記載のコイルの製造方法を用いて製造されたものであることを特徴とする請求項１１記載の対物レンズ駆動装置。
【請求項１８】
前記フォーカスコイル又は前記チルトコイルが、請求項８記載のコイルの製造方法を用いて製造されたものであることを特徴とする請求項１１記載の対物レンズ駆動装置。
【発明の詳細な説明】
【技術分野】
【０００１】
本発明は、コイルの製造方法及び同製造方法により製造された連コイルを設けた対物レンズ駆動装置に関し、例えば２連コイルの製造方法及び２連コイルを使用した対物レンズ駆動装置に関する。
【背景技術】
【０００２】
一般に、光ヘッドは、光ディスク等の光学的記録媒体の記録面上にレーザ光を集光して情報データを記録する。また、光ヘッドは、記録面に対してレーザ光を照射し、記録面からの反射光の強弱に基づいて、再生のための情報データを判定する。このため、光ヘッドは、光ディスク等の記録面上に光ビームを集光して情報データを記録又は再生するための対物レンズを駆動する対物レンズ駆動装置を設けている。対物レンズの駆動において、トラック、フォーカス及びチルトの各制御は、コイルの電磁力を用いて行うことができる。
【０００３】
従来の対物レンズの駆動制御装置としては、磁束の量及び方向をきめ細かく制御するために、導線の巻き数や巻かれる方向（巻き方の方向）の異なる２つのコイル部が、引き出し線を介して接続されてなる２連コイルを用いたものがある。例えば特許文献１記載の光ピックアップ装置は、コイルホルダに、フォーカスコイル（フォーカシングコイル）と、トラックコイル（トラッキングコイル）と、チルトコイルとを配したものであり、各コイルの交差部を磁石とヨークとの間のエアギャップに介挿せしめ、磁石は、その上下端部分が中央部に比べ幅広になるように形成されている。
【特許文献１】特開２００４-１１０８９１号公報
【発明の開示】
【発明が解決しようとする課題】
【０００４】
しかしながら、２つのコイル部からなる上段側としての２連コイルと、２つのコイル部からなる下段側としての２連コイルとを上下に重ねる場合、下段の２連コイルを構成する２つのコイル部間を接続する線材が、上段の２連コイルを構成する片方のコイルと下段の２連コイルを構成する片方のコイルとの間の重ね合わせ部分に挟まる。従って、２連コイルが単純に上下に積み重ねられた場合、２連コイルの全体のコイル高は、引き出し線が挟まる分だけ大きくなる。
【０００５】
特許文献１の光ピックアップ装置は、フォーカスコイルとチルトコイルとを上下に積み重ねて配置しており、また、磁石やヨークの形状は、フォーカスコイルとチルトコイルとの各位置の磁束密度が周囲よりも高くなるようにされたものであるが、特許文献１には、２連又は多段に接続された連コイルを積み重ねる手法についての言及はない。
【０００６】
そこで本発明は、上記の課題に鑑み、光ヘッドにおいて、２連以上の連数をもつ連コイルの全体のコイル高を抑制でき、かつ各方向の制御が適切に行えるコイルの製造方法及び対物レンズ駆動装置を提供することを目的とする。
【課題を解決するための手段】
【０００７】
本発明の一態様によれば、少なくとも２つのコイル部が導体の部材を介して接続されてなる連コイルを上下少なくとも２段に重ねて構成されるコイルの製造方法であって、上段の連コイルとして構成される２つの上段コイル部のうちの一方のコイル部の外側引き出し線と、前記上段コイル部のうちの他方のコイル部の内側引き出し線とを接続するステップと、下段の連コイルとして構成される２つの下段コイル部のうちの一方のコイル部の外側引き出し線と、前記下段コイル部のうちの他方のコイル部の内側引き出し線とを接続するステップと、前記上段コイル部又は前記下段コイル部を構成する２つのコイル部のうちのいずれかのコイル部を、前記下段コイル部又は前記上段コイル部を構成する２つのコイル部のうちのいずれかの巻回部分の内側から外側に通すステップと、前記上段コイル部又は前記下段コイル部のいずれかの内側引き出し線を、前記下段コイル部又は前記上段コイル部のいずれかの巻回部分の内側を通してその巻回部分の外側に引き出すステップとを備えたことを特徴とするコイルの製造方法が提供される。
【０００８】
また、本発明の別の一態様によれば、一方の引き出し線と他方の引き出し線とが巻回部分について同じ側に形成され上段の連コイルとして構成される偶数巻きの２つの上段コイル部のうちの一方のコイル部の外側引き出し線と、前記上段コイル部のうちの他方のコイル部の内側引き出し線とを前記導体の部材を介して接続するステップと、一方の引き出し線と他方の引き出し線とが巻回部分について同じ側に形成され下段の連コイルとして構成される偶数巻きの２つの下段コイル部のうちの一方のコイル部の外側引き出し線と、前記下段コイル部のうちの他方のコイル部の内側引き出し線とを前記導体の部材を介して接続するステップと、接続された前記上段コイル部と、接続された前記下段コイル部とが２段に重なるように、前記上段コイル部と前記下段コイル部とを配置するステップとを備えたことを特徴とするコイルの製造方法が提供される。
【０００９】
また、本発明の別の一態様によれば、一方の引き出し線と他方の引き出し線とが巻回部分について反対側に形成され上段の連コイルとして構成される奇数巻きの２つの上段コイル部のうちの一方のコイル部の外側引き出し線と、前記上段コイル部のうちの他方のコイル部の内側引き出し線とを前記導体の部材を介して接続するステップと、前記導体の部材を介して接続された前記上段コイル部のいずれか一方のコイル部の上下を反転するステップと、一方の引き出し線と他方の引き出し線とが巻回部分について反対側に形成され下段の連コイルとして構成される奇数巻きの２つの下段コイル部のうちの一方のコイル部の外側引き出し線と、前記下段コイル部のうちの他方のコイル部の内側引き出し線とを前記導体の部材を介して接続するステップと、前記導体の部材を介して接続された前記下段コイル部のいずれか一方のコイル部の上下を反転するステップと、いずれか一方のコイル部の上下が反転された前記上段コイル部と、いずれか一方のコイル部の上下が反転された前記下段コイル部とが２段に重なるように、前記上段コイル部と前記下段コイル部とを配置するステップとを備えたことを特徴とするコイルの製造方法が提供される。
【００１０】
さらに、本発明の別の一態様によれば、複数のコイル部のローレンツ力により、光ディスクの記録面に光源からの光を集束させる対物レンズを、所望の方向に駆動させる対物レンズ駆動装置であって、一方の引き出し線が巻回部分の外側に引き出されるとともに他方の引き出し線が前記巻回部分の内側に引き出されてなる２つのコイル部からなり、前記光ディスクに対する前記対物レンズの変位を前記フォーカス方向に調節させるローレンツ力を発生させるフォーカスコイルと、一方の引き出し線が巻回部分の外側に引き出されるとともに他方の引き出し線が前記巻回部分の内側に引き出されてなる２つのコイル部からなり、前記対物レンズの前記光ディスクに対する傾きを調節させるローレンツ力を発生させるチルトコイルと、前記対物レンズを移動可能に保持するとともに、前記フォーカスコイルと前記チルトコイルとを取り外し可能に保持するレンズホルダと、前記フォーカスコイルと前記チルトコイルとにローレンツ力を発生させ、前記対物レンズを、少なくともフォーカス方向及びチルト方向に駆動させる駆動手段とを備え、前記フォーカスコイルを構成する２つのコイル部と、前記チルトコイルを構成する２つのコイル部とが、導体の線材を介して接続されて上下２段に重ねられて配置され、前記チルトコイルの一方のコイル部の外側又は内側の引き出し線が、前記フォーカスコイルの２つのコイル部のうちの前記チルトコイルの一方のコイル部に重ねられる前記フォーカスコイルの一方のコイル部と異なる前記フォーカスコイルの他方のコイル部の上部から、前記フォーカスコイルの他方のコイル部の巻回部分の内側を通って、前記チルトコイルの他方のコイル部の内側の引き出し線に接続されたことを特徴とする対物レンズ駆動装置が提供される。
【発明の効果】
【００１１】
本発明によれば、２連以上のコイル部からなる連コイルが積み重ねられた場合に、連コイルの接続線が、連コイルの間に挟まらないため、連コイル全体のコイル高を抑制することができ、また、光ピックアップのための装置を薄型化でき、光ピックアップの性能を向上させることができる。さらに、コイルの組み立てが容易になる。
【発明を実施するための最良の形態】
【００１２】
以下、本発明の実施形態に係る対物レンズ駆動装置及びこの対物レンズ駆動装置に利用可能なコイルの製造方法について、図面を参照しながら説明する。尚、各図において同一箇所については同一の符号を付すとともに、重複した説明は省略する。
【００１３】
（第１の実施形態）
本発明の第１の実施の形態に係る光ヘッドは、図１に示すように、光ディスク１２の記録面上に光ビームを集光して情報データを記録し、又は情報を再生するものである。光ヘッド１１は、光ディスク１２の記録面に対向して配置され、また、図示しない可動支持機構により、光ディスク１２の径方向、つまり、矢印Ａ及びＢの各方向に移動自在に支持されている。
【００１４】
光ヘッド１１は、半導体レーザ１３、光学系１４、光電変換器１６、フレキシブル印刷配線基板１８、印刷配線基板１９、フレキシブル印刷配線基板２０、対物レンズ駆動装置１７を備えて構成される。
【００１５】
半導体レーザ１３は、レーザ光を発生するものである。光学系１４は、レーザ光を集光するためのものである。光電変換器１６は、受光素子である。フレキシブル印刷配線基板１８、印刷配線基板１９及びフレキシブル印刷配線基板２０は、いずれも、情報データの変復調処理を行う不図示の外部回路等に接続されたものである。
【００１６】
対物レンズ駆動装置１７は、複数のコイル部のローレンツ力により、光ディスク１２の記録面に半導体レーザ１３からのレーザ光を集束させる対物レンズ１５を、フォーカス方向、トラック方向及びチルト方向に駆動させるものである。
【００１７】
これにより、光ヘッド１１は、記録情報に応じて変調されたレーザ光を半導体レーザ１３から照射し、このレーザ光を光学系１４及び対物レンズ１５を介して光ディスク１２上に集光させる。従って、光ディスク１２に対して情報データが記録される。
【００１８】
また、光ヘッド１１は、半導体レーザ１３から照射された一定レベルのレーザ光を、光学系１４及び対物レンズ１５を介して光ディスク１２上に集光させる。光ヘッド１１は、光ディスク１２上において反射されたレーザ光を対物レンズ１５により逆行（透過）させ、この逆行させたレーザ光を光学系１４により屈折させ、屈折光を光電変換器１６に受光させる。これにより、光ディスク１２からの情報の再生が行われる。
【００１９】
さらに、対物レンズ１５は、対物レンズ駆動装置１７によって、フォーカス制御、トラック制御及びチルト制御がそれぞれ可能に支持されている。この対物レンズ１５についてフォーカス制御、トラック制御又はチルト制御を行うための各制御用コイルは、フレキシブル印刷配線基板１８を介して印刷配線基板１９に接続されている。
【００２０】
また、半導体レーザ１３も、フレキシプル印刷配線基板２０を介して印刷配線基板１９に接続されている。さらに、上記光電変換器１６は、印刷配線基板１９に電気的及び機械的に接続されている。そして、光ヘッド１１は、印刷配線基板１９を介して外部回路との電気的接続を図り、半導体レーザ１３及び対物レンズ駆動装置１７の制御や、光電変換器１６で生成した信号の取り出し等を行っている。
【００２１】
対物レンズ駆動装置１７には、図２及び図３にそれぞれ示すように、対物レンズ１５を移動可能に保持するとともに、フォーカス制御用コイルとチルト制御用コイルとを取り外し可能に保持するレンズホルダ２４が設けられている。このレンズホルダ２４によって、対物レンズ１５は、フォーカス方向及びラジアル方向に移動可能にされ、かつラジアル方向に傾動可能にされる。
【００２２】
レンズホルダ２４のラジアル方向の側面部には、それぞれ３本ずつのワイヤ２３が取り付けられており、また、これらの３本ずつのワイヤ２３の他端は、いずれも、ワイヤホルダ２２に固定されている。
【００２３】
さらに、対物レンズ１５の移動や傾動の制御を行うために、レンズホルダ２４には、一対のコイル部からなるフォーカスコイル２６と、一対のコイル部からなるチルトコイル２８と、一対のコイル部からなるトラックコイル２７とがそれぞれ取り付けられている。
【００２４】
フォーカスコイル２６は、一方の引き出し線が巻回部分の外側に引き出されるとともに他方の引き出し線がその巻回部分の内側に引き出されてなる２つのコイル部からなり、光ディスク１１に対する対物レンズ１５の変位をフォーカス方向に調節させるローレンツ力を発生させるものである。
【００２５】
チルトコイル２８は、一方の引き出し線が巻回部分の外側に引き出されるとともに他方の引き出し線がその巻回部分の内側に引き出されてなる２つのコイル部からなり、対物レンズ１５の光ディスク１１に対する傾きを調節させるローレンツ力を発生させるものである。
【００２６】
トラックコイル２７は、トラック方向、すなわち、光ディスク１２の径方向に対物レンズ１５の変位を調節させるローレンツ力を発生させるものである。
【００２７】
チルトコイル２８の上段には、図４及び図５にそれぞれ示すように、フォーカスコイル２６が積み重ねられる。すなわち、フォーカスコイル２６及びチルトコイル２８（図４）が積み重ねられ、対物レンズ駆動装置１７に組み込まれた後の状況は図５に示すようになる。ここで、外側引き出し線と、内側引き出し線とが、ともに、レンズホルダ２４におけるほぼ同じ位置に形成されている。また、フォーカスコイル２６を構成する２つのコイル部を接続する渡り線３０と、チルトコイル２８を構成する２つのコイル部を接続する渡り線３０とが、ともに、レンズホルダ２４におけるほぼ同じ位置に形成される。フォーカスコイル２６を構成するコイル部と、チルトコイル２８を構成するコイル部との各巻回部分は、いずれも、Ｚ軸回転方向に巻かれる。
【００２８】
また、トラックコイル２７は、フォーカスコイル２６とチルトコイル２８との各巻回部分の内部に配置される。積み重ねられてなるフォーカスコイル２６及びチルトコイル２８は、図６に示すように、レンズホルダ２４本体の側面部に形成された開口部からＹ軸方向に沿ってレンズホルダ２４に挿入（又は組み込み）される。また、トラックコイル２７は、図７に示すように、レンズホルダ２４本体の上面部に形成された開口部からＺ軸方向に沿ってレンズホルダ２４に挿入される。ここで、トラックコイル２７の巻回部分は、Ｙ軸回転方向に巻かれる。フォーカスコイル２６及びチルトコイル２８と、トラックコイル２７とが、レンズホルダ２４に挿入された後の対物レンズ駆動装置１７は、図８に示すような外観を有する。
【００２９】
図２に戻り、フォーカスコイル２６を構成する２つのコイル部は、対物レンズ１５の両側に配置されており、これらの２つのコイル部は、渡り線３０によって接続されている。そして、フォーカスコイル２６を構成する２つのコイル部の各下段には、これらの２つのコイル部の断面形状とほぼ同じ断面形状を有する一対の他のコイル部が密着されており、これにより、フォーカスコイル２６とチルトコイル２８とによる上下２段の積み重ね構造が形成されている。また、チルトコイル２８を構成する２つのコイル部も、渡り線３０によって接続されている。
【００３０】
さらに、レンズホルダ２４は、ベース（ベース部材）２１に収納されており、レンズホルダ２４とベース２１との間には、着磁方向がＹ方向にされた４つの磁石２９が介装されている。図３の対物レンズ駆動装置１７から、ワイヤ２３、レンズホルダ２４、対物レンズ１５等を取り除いた状態を図９に示す。図９に示す６本のワイヤ２３、４つの磁石２９、フォーカスコイル２６、トラックコイル２７、チルトコイル２８及びワイヤ（図９では不図示）によって、アクチュエータが構成されている。そして、このアクチュエータが、フォーカスコイル２６とチルトコイル２８とにローレンツ力を発生させ、対物レンズ１５を、フォーカス方向、トラック方向及びチルト方向にそれぞれ駆動させる駆動手段として機能する。これにより、４つの磁石２９によって発生するローレンツ力によって、ベース２１に対して移動可能に支持されたレンズホルダ２４が、移動及び傾動自在になっている。
【００３１】
さらに、本実施形態に係るフォーカスコイル２６と、チルトコイル２８との形状について詳述すると、図１０に示すように、２連コイルの一部であるコイル部は、略４角形でありかつ空芯である。そして、フォーカスコイル２６を構成する２つのコイル部のうちの他方のコイル部が、内径Ａ＊内径Ｂ（Ａ≦Ｂ）の断面略四角形の巻回部分を有し、チルトコイル２８を構成する２つのコイル部のうちの一方のコイル部が、側面部の一辺の長さＣ＊側面部の一辺の長さＤ（Ｃ≦Ｄ）の巻回部分を有する。また、側面部の一辺の長さＣ≦内径Ａかつ側面部の一辺の長さＤ≦内径Ｂである。すなわち、フォーカスコイル２６及びチルトコイル２８の各一方のコイル部が有する一対の側面部のうちの面積の小さいほうの側面部が、フォーカスコイル２６及びチルトコイル２８の各他方のコイル部の内径により形成される面積値よりも大きい面積を有するといえる。この関係が成立する場合に、一方のコイル部は、他方のコイル部の内側を通すことができる。
【００３２】
本実施形態に係るコイルの製造方法は、２つ又は３つ以上の個数のコイル部が渡り線３０のような導体の部材を介して接続されてなる連コイルを上下２段に重ねて構成されるものである。
【００３３】
本実施形態に係る対物レンズ駆動装置１７は、対物レンズ駆動装置１７の更なる薄型化や性能向上のために、フォーカスコイル２６及びチルトコイル２８の組み合わせと、フォーカスコイル２６及びチルトコイル２８の組み立て配置とによって、フォーカスコイル２６及びチルトコイル２８からなる連コイルのコイル高を抑制する。
【００３４】
フォーカスコイル２６又はチルトコイル２８としての制御用コイルは、その製造上の制約から、コイル部の巻き始めがコイル内周側にくるとともに、コイル部の巻き終わりが外周側にくる。従って、２つのコイル部からなる２連コイルを構成する場合には、２つのコイル部のうちの先に巻かれるコイル部から引き出された引き出し線は、後に巻かれるコイル部の内側にくることになる。
【００３５】
コイル部の巻回部分の層数が奇数の場合と偶数の場合とにおいて、渡り線３０やコイル部の引き出し線の位置は異なる。２つのコイル部からなる２連コイルを上下２段に積み重ねることにより、本実施形態に係るフォーカスコイル２６とチルトコイル２８とを組み立てる場合においては、以下のようになる。
【００３６】
（１）巻回部分の層数が奇数の場合
先に巻かれるコイル  巻き始め  内側上  巻き終わり  外側下
後に巻かれるコイル  巻き始め  内側（上下）  巻き終わり  外側（下上）
（２）巻回部分の層数が偶数の場合
先に巻かれるコイル  巻き始め  内側  巻き終わり  外側上
後に巻かれるコイル  巻き始め  内側（上下）  巻き終わり  外側（上下）
（１）使用コイルの巻回部分の層数が奇数の場合について
フォーカスコイル２６及びチルトコイル２８の組み立てにあたり、チルトコイル２８を構成する２つのコイル部を先に巻いて組み立てを行った後、フォーカスコイル２６を構成する２つのコイル部を組み立てる。
【００３７】
本発明のコイルの製造方法は、図１１（ａ）に示すように、まず、フォーカスコイル２６のような上段の連コイルとして構成される２つのコイル部（上段コイル部）２−１及び２−２のうちの一方のコイル部２−１の外側引き出し線と、コイル部２−１及び２−２のうちの他方のコイル部２−２の内側引き出し線とを接続する。
【００３８】
また、チルトコイル２８のような下段の連コイルとして構成される２つのコイル部（下段コイル部）１−１及び１−２のうちの一方のコイル部１−１の外側引き出し線と、コイル部１−１及び１−２のうちの他方のコイル部１−２の内側引き出し線とを接続する。
【００３９】
ここで、チルトコイル２８として先に巻かれるコイル部１−１及び１−２の巻き始めはともに巻回部分の外側上であり、かつコイル部１−１及び１−２の巻き終わりはともに巻回部分の内側下である。
【００４０】
また、フォーカスコイル２６として後に巻かれるコイル部２−１及び２−２の巻き始めはともに巻回部分の外側上であり、かつコイル部２−１及び２−２の巻き終わりはともに巻回部分の内側下である。
【００４１】
続いて、図１１（ｂ）に示すように、コイル部２−１を、コイル部１−２の巻回部分の内側から外側に通す。
【００４２】
そして、図１１（ｃ）に示すように、コイル部２−１の内側引き出し線を、コイル部１−１の巻回部分の内側を通してコイル部１−１の巻回部分の外側に引き出す。このようにして、図１１（ｄ）に示すように、本実施形態に係るフォーカスコイル２６とチルトコイル２８とが得られる。
【００４３】
また、図１１（ａ）から図１１（ｄ）においては、各コイル部１−１、１−２、２−１及び２−２は、いずれも奇数巻きのものである。換言すれば、コイル部２−１及び２−２の各外側引き出し線と、コイル部２−１及び２−２の各内側引き出し線とが、コイル部２−１及び２−２の各巻回部分についてそれぞれ反対側に形成された場合には、コイル部１−１の内側引き出し線を、コイル部２−２の巻回部分の内側を通して、コイル部１−２の内側引き出し線と接続する。
【００４４】
また、対物レンズ駆動装置１７は、チルトコイル２８を構成する２つのコイル部１−１及び１−２のうちの一方のコイル部１−１の内側引き出し線が、フォーカスコイル２６を構成する２つのコイル部２−１及び２−２のうちのチルトコイル２８の一方のコイル部１−１に重ねられるフォーカスコイル２６の一方のコイル部２−１と異なるフォーカスコイル２６の他方のコイル部２−２の上部から、フォーカスコイル２６の他方のコイル部２−２の巻回部分の内側を通って、チルトコイル２８の他方のコイル部１−２の内側引き出し線に接続されている。
【００４５】
（２）使用コイルの巻回部分の層数が偶数の場合について
本発明のコイルの製造方法は、図１２（ａ）に示すように、フォーカスコイル２６としてのコイル部２−１及び２−２のうちの一方のコイル部２−１の外側引き出し線と、コイル部２−１及び２−２のうちの他方のコイル部２−２の内側引き出し線とを接続する。
【００４６】
また、チルトコイル２８としてのコイル部１−１及び１−２のうちの一方のコイル部１−１の外側引き出し線と、コイル部１−１及び１−２のうちの他方のコイル部１−２の内側引き出し線とを接続する。
【００４７】
ここで、チルトコイル２８として先に巻かれるコイル部１−１及び１−２の巻き始めはともに巻回部分の内側上であり、かつコイル部１−１及び１−２の巻き終わりはともに巻回部分の外側上である。
【００４８】
また、フォーカスコイル２６として後に巻かれるコイル部２−１及び２−２の巻き始めはともに巻回部分の内側上であり、かつコイル部２−１及び２−２の巻き終わりはともに巻回部分の外側上である。すなわち、巻き始めと巻き終わりとが同じ側に形成されている。
【００４９】
続いて、図１２（ｂ）に示すように、コイル部１−１を、コイル部２−２の巻回部分の内側から外側に通す。
【００５０】
そして、図１２（ｃ）に示すように、コイル部１−１の内側引き出し線を、コイル部２−１の巻回部分の内側を通してコイル部２−１の巻回部分の外側に引き出す。このようにして、巻回部分の層数が偶数の場合においても、本実施形態に係るフォーカスコイル２６とチルトコイル２８とが得られる。
【００５１】
また、各コイル部１−１、１−２、２−１及び２−２は、いずれも偶数巻きのものである。図１２（ｃ）において、コイル部２−１及び２−２の各外側引き出し線と、コイル部２−１及び２−２の各内側引き出し線とが、コイル部２−１及び２−２の各巻回部分についてそれぞれ同じ側に形成された場合には、コイル部１−１の外側引き出し線を、コイル部２−２の巻回部分の内側を通して、コイル部１−２の内側引き出し線と接続する。
【００５２】
また、対物レンズ駆動装置１７は、チルトコイル２８を構成する２つのコイル部１−１及び１−２のうちの一方のコイル部１−１の外側引き出し線が、フォーカスコイル２６を構成する２つのコイル部２−１及び２−２のうちのチルトコイル２８の一方のコイル部１−１に重ねられるフォーカスコイル２６の一方のコイル部２−１と異なるフォーカスコイル２６の他方のコイル部２−２の上部から、フォーカスコイル２６の他方のコイル部２−２の巻回部分の内側を通って、チルトコイル２８の他方のコイル部１−２の内側引き出し線に接続されている。
【００５３】
このように、本実施形態に係る対物レンズ駆動装置１７は、２連コイルであるフォーカスコイル２６と、２連コイルであるチルトコイル２８とを２つ使用しており、一方の２連コイルの一部を他方の２連コイルの一部の内側を通しているものといえる。
【００５４】
また、対物レンズ駆動装置１７は、使用コイル部が奇数巻きの場合と、使用コイル部が偶数巻きの場合とのいずれの場合においても、２つの２連コイルを積み重ねることができるため、コイルの製造上の制約にかかわらず、フォーカス制御用のコイル及びチルト制御用のコイルを構成することができる。さらに、フォーカスコイル２６とチルトコイル２８とは密着されてもよい。フォーカスコイル２６とチルトコイル２８とは離れて構成されてもよい。
【００５５】
上述の構成により、本実施形態に係る対物レンズ駆動装置１７の動作について説明する。
【００５６】
図５のフォーカスコイル２６を構成するコイル部のそれぞれに、Ｚ軸正の方向に向かって左回転に電流が流れると、フレミングの法則に則り、Ｚ軸正の方向への駆動力が発生し、ワイヤ２３で支持されたレンズホルダ２４、フォーカスコイル２６、トラックコイル２７、チルトコイル２８及び対物レンズ１５の可動部位として組み立てられた可動部が、各磁石２９と電流により発生するローレンツカとによって、Ｚ軸正の方向へ移動する。
【００５７】
逆に、フォーカスコイル２６を構成するコイル部のそれぞれに、Ｚ軸正の方向に向かって右回転に電流が流れると、可動部は、Ｚ軸負の方向へ移動する。
【００５８】
一方、トラックコイル２７を構成するコイル部のそれぞれに、Ｙ軸正の方向に向かって右回転に電流が流れると、Ｘ軸正の方向への駆動力が発生し、可動部は、Ｘ軸正の方向（＋Ｘ）へ移動する。
【００５９】
逆に、トラックコイル２７を構成するコイル部のそれぞれに、Ｙ軸正の方向に向かって左回転に電流が流れると、可動部は、Ｘ軸負の方向（−Ｘ）へ移動する。
【００６０】
また、チルトコイル２８を構成するコイル部の一方は、フォーカスコイル２６を構成するコイル部と同じ方向に巻かれ、チルトコイル２８を構成するコイル部の他方は、フォーカスコイル２６を構成するコイル部と逆の方向に巻かれている。従って、チルトコイル２８を構成する左右のコイル部において、一方のコイル部に流れる電流の向きがＺ軸正の方向のときに、他方のコイル部はＺ軸負の方向にかかるカが発生し、Ｙ軸を軸中心とし、Ｙ軸の軸線の周りに回転動作をする。
【００６１】
このように、本発明によれば、フォーカスコイル２６及びチルトコイル２８を積み重ねたときに生じうるフォーカスコイル２６及びチルトコイル２８の高さ損失を抑制でき、物理的に利用できるフォーカスコイル２６及びチルトコイル２８からなるコイル高を有効に使用できるようになる。
【００６２】
従来の技術を用いて２連コイルを組み立てる場合、図１３に示すように、２連コイルが単に積み重ねられると、渡り線３０等が２連コイルの間に挟まって、２連コイルの間に空隙が生じる。例えば、線径０．１ｍｍのコイル部により作成されたコイルの高さが１．５ｍｍである場合、積み重ねられた２連コイルは、０．１ｍｍ分の高さを損失していることになる。０．１ｍｍ／１．５ｍｍを計算すると、この高さの損失分は、有効領域に対して、約６．７％である。
【００６３】
本発明によれば、図１１に示したように、２連以上に接続された連コイルを２つ以上使用し、一方のコイル部の一部を他方のコイル部の一部の内側を通してから積み重ねをするため、連コイルの間に渡り線３０が挟まらず、フォーカスコイル２６とチルトコイル２８とは空隙なしに組み付き合わせることができ、高さの損失が生じない。図１３により説明した内容と比較すると、本発明によれば、対物レンズ１５等を移動又は傾動させるための駆動力について、約６．７％の感度アップが見込めることになる。
【００６４】
また、図１１の奇数巻きのコイル部を用いた場合と同様に、図１２の偶数巻きのコイル部を用いた場合についても、一方のコイル部の一部が他方のコイル部の一部の内側を通るようにして積み重ねられるため、２連コイルの間に渡り線３０が挟まらず、２連コイルのコイル高の損失がなく、フォーカスコイル２６及びチルトコイル２８からなる有効領域を損失なく充分に活用することができる。従って、２連コイルを積み重ねた場合に、その有効領域を拡大することができる。
【００６５】
また、本発明によれば、２連コイルの高さのみならず、２つの２連コイルの各々の傾きも防止できる。このとき、コイル部同士を密着する必要はない。２つの２連コイルの間は離すこともできる。
【００６６】
さらに、本発明によれば、図１１や図１２のようなコイル配置によって、渡り線３０や引き出し線は、いずれも、コイルの側面部の面に沿って接続されるため、コイルの同一位置から引き出すことができる。これにより、コイル端を処理するための領域に対する渡り線３０や引き出し線の引き出しがスムーズにできる。
【００６７】
このように、本発明によれば、２連以上の連数をもつ連コイルの全体の高さを抑制でき、かつ各方向の制御が適切に行えるようになる。
【００６８】
また、従来の技術では、２連以上のコイルを重ね合わせるときに、渡り線３０等が挟まる分だけ連コイルのコイル高が大きくなるため、連コイルを有する対物レンズ駆動装置の全体の高さが大きくなる。これに対して、本発明によれば、渡り線３０等が挟まれないため、対物レンズ駆動装置１７についての物理的な高さに関する制約にかかわらず、対物レンズ駆動装置１７を構成する部品の空間上の配置を有効に活用することができる。従って、対物レンズ駆動装置１７を備えた光ヘッド１１において、コイル部が上述したように配置されるため、光ピックアップのための装置を薄型化でき、光ピックアップの性能を向上させることができる。
【００６９】
（第２の実施形態）
２連コイルを上下２段に重ねるための組み立ては、上段の連コイルの渡り線３０と下段の連コイルの渡り線３０とが、ともに、同一側（上側又は下側）から出るようにして行われる。
【００７０】
使用するコイル部が偶数巻きの場合には、図１４に示すように、上段の渡り線３０と下段の渡り線３０とが、いずれも、各巻回部分について同一側に配置されるようにする。以下、図１４の２連コイルの配置関係を、基本配置形（I）と呼ぶ。
【００７１】
本発明の第２実施形態に係るコイルの製造方法は、偶数巻きの２つの上段コイル部としてのチルトコイル２８と、偶数巻きの２つの下段コイル部としてのフォーカスコイル２６とを、渡り線３０を介して接続し、上段の２連コイルであるチルトコイル２８と下段の２連コイルであるフォーカスコイル２６とを上下２段に重ねて構成するものである。このチルトコイル２８は、一方の引き出し線と他方の引き出し線とが巻回部分について同じ側に形成されており、また、フォーカスコイル２６も、一方の引き出し線と他方の引き出し線とが巻回部分について同じ側に形成されている。
【００７２】
まず、チルトコイル２８の一方のコイル部１―２の外側引き出し線と、チルトコイル２８の他方のコイル部１―１の内側引き出し線とを渡り線３０を介して接続する。
【００７３】
フォーカスコイル２６の一方のコイル部２―２の外側引き出し線と、フォーカスコイル２６の他方のコイル部２―１の内側引き出し線とを渡り線３０を介して接続する。
【００７４】
そして、接続されたチルトコイル２８と、接続されたフォーカスコイル２６とが２段に重なるように、チルトコイル２８とフォーカスコイル２６とを配置する。
【００７５】
次に、奇数巻きのコイル部を上下２段に重ねて組み立てる場合には、図１５（ａ）に示す上段のコイル部１―１と下段のコイル部２―１とのそれぞれの上下を反転させて、図１５（ｂ）に示すように、上段の渡り線３０と、下段の渡り線３０とが、いずれも、各巻回部分について反対側に配置されるようにする。以下、図１５（ｂ）の２連コイルの配置関係を、基本配置形（II）と呼ぶ。
【００７６】
本実施形態に係るコイルの他の製造方法は、奇数巻きの２つの上段コイル部としてのチルトコイル２８と、奇数巻きの２つの下段コイル部としてのフォーカスコイル２６とを、渡り線３０を介して接続し、チルトコイル２８とフォーカスコイル２６とを上下２段に重ねて構成するものである。
【００７７】
チルトコイル２８のコイル部１―２の外側引き出し線と、チルトコイル２８のコイル部１―１の内側引き出し線とを渡り線３０を介して接続する。
【００７８】
この渡り線３０を介して接続されたチルトコイル２８のコイル部１―１の上下を反転する。
【００７９】
また、フォーカスコイル２６のコイル部２―２の外側引き出し線と、フォーカスコイル２６のコイル部２―１の内側引き出し線とを渡り線３０を介して接続する。
【００８０】
渡り線３０を介して接続されたフォーカスコイル２６のコイル部２―１の上下を反転する。
【００８１】
そして、コイル部１―１の上下が反転されたチルトコイル２８と、コイル部２―１の上下が反転されたフォーカスコイル２６とが２段に重なるように、チルトコイル２８とフォーカスコイル２６とを配置する。
【００８２】
このように、基本配置形（I）は、２本の引き出し線が、渡り線３０と同じ側に配置されており、また、基本配置形（II）は、２本の引き出し線が、渡り線３０と反対側に配置される。すなわち、基本配置形（I）では、渡り線３０に対する引き出し線の位置が上側であるため、偶数巻きの特徴が見られる。基本配置形（II）では、渡り線３０に対する引き出し線の位置が下側であるため、奇数巻きの特徴が見られる。
【００８３】
次に、基本配置形（I）の２つの変形例について述べる。２つの２連コイルのうちの一方について説明する。
【００８４】
（その１）基本配置形（I）の第１の変形例
本実施形態の変形例に係るコイルの製造方法は、図１６（ａ）に示すチルトコイル２８が有する引き出し線のうちの渡り線３０に接続されていないものを以下のようにして引き出すものである。
【００８５】
図１６（ｂ）に示すように、コイル部１―１の外側引き出し線を、コイル部１―１の巻回部分の外側を通して、コイル部１―１の下方に引き出す。そして、コイル部１―２の内側引き出し線を、コイル部１―２の巻回部分の内側を通して、コイル部１―２の下方に引き出す。
【００８６】
このように、偶数巻きの２つのコイル部１―１、１―２が渡り線３０を介して接続されてなるチルトコイル２８は、奇数巻きの特徴を有する。
【００８７】
フォーカスコイル２６についてもチルトコイル２８と同じである。
【００８８】
そして、チルトコイル２８と、フォーカスコイル２６とが２段に重なるように、チルトコイル２８とフォーカスコイル２６とを配置する。
【００８９】
（その２）基本配置形（I）の第２の変形例
本実施形態の変形例に係るコイルの製造方法は、図１７（ａ）に示すように、コイル部１―２を、コイル部１―１の巻回部分の内側から外側に通し、図１７（ｂ）に示すように、コイル部１―１を上下に反転させる。そして、図１７（ｃ）に示すように、コイル部１―２の内側引き出し線を、コイル部１―２の巻回部分の内側を通して、コイル部１―２の下方に引き出す。これにより、図１７（ｄ）に示すような配置の２連コイルが得られる。従って、偶数巻きのコイル部を用いたチルトコイル２８は、奇数巻きの特徴を有する。
【００９０】
次に、基本配置形（II）の２つの変形例について説明する。
【００９１】
（その１）基本配置形（II）の第１の変形例
基本配置形（II）についても、渡り線３０に接続されていない引き出し線を引き出す。本実施形態の他の変形例に係るコイルの製造方法は、図１８（ａ）に示すように、コイル部１―１の外側引き出し線を、コイル部１―１の巻回部分の外側を通して、コイル部１―１の上方に引き出す。そして、コイル部１―２の内側引き出し線を、コイル部１―２の巻回部分の内側を通して、コイル部１―２の上方に引き出す。
【００９２】
これにより、図１８（ｂ）に示すような配置の２連コイルが得られる。なお、フォーカスコイル２６についてもチルトコイル２８と同じである。そして、チルトコイル２８と、フォーカスコイル２６とが２段に重なるように、チルトコイル２８とフォーカスコイル２６とを配置する。
【００９３】
このように、奇数巻きの２つのコイル部１―１、１―２が渡り線３０を介して接続されてチルトコイル２８は、偶数巻きの特徴を有する。
【００９４】
（その２）基本配置形（II）の第２の変形例
本実施形態の他の変形例に係るコイルの製造方法は、以下のようにして行う。図１９（ａ）に示すように、コイル部１―１を上下に反転させる。そして、図１９（ｂ）に示すように、コイル部１―２を、コイル部１―１の巻回部分の内側から外側に通す。この状態での配置関係は、図１５（ａ）の配置と同じである。さらに、図１９（ｃ）に示すように、コイル部１―２の内側引き出し線を、コイル部１―２の巻回部分の内側を通して、コイル部１―２の上方に引き出す。これにより、図１９（ｄ）に示すような配置のコイルが得られる。従って、奇数巻きのコイル部を用いたチルトコイル２８は、偶数巻きの特徴を有する。
【００９５】
このようにして、基本配置形（I）、（II）が使用されるため、コイルの組み立てが容易になる。製造に際しては、巻回部分の層数が、層厚や線径の制限によって、組み立てや引き出し線のしやすい方向にならないときがあるが、偶数巻きのコイルを奇数巻きのコイルの配置にすることができ、また、逆に、奇数巻きのコイルを偶数巻きのコイルの配置にすることができる。
【００９６】
換言すれば、本実施形態及びその変形例に係るコイルの製造方法は、渡り線３０に対して、引き出し線が偶奇巻き（上側又は下側）になる特徴を利用したものであるといえる。
【００９７】
本実施形態及びその変形例に係るコイルの製造方法は、フォーカスコイル２６又はチルトコイル２８と異なる他のコイルに用いてもよい。
【００９８】
なお、この発明は上記した実施の形態に限定されるものではなく、この外その要旨を逸脱しない範囲で種々変形して実施することができる。
【００９９】
上記実施形態では、２つのコイル部からなる連コイルを説明したが、連コイルは、複数のコイル部が渡り線３０等の導体の部材を介して多段に接続されて構成することができる。また、上記実施形態では、連コイルが上下２段に重ねて構成される場合を説明したが、連コイルは、上下多段に重ねて構成してもよい。図１１及び図１２においては、いずれかのコイルを、他方のコイル部の巻回部分の内側から外側に通すときに、他方のコイル部の巻回部分の内径面積よりも小さい面積の面部を有するコイルを、その他方のコイル部の巻回部分の内側から外側に通していたが、内径面積や側面部面積の関係については、積み重ねられる一方の連コイルαと他方の連コイルβとのそれぞれの一部のコイル部が、その関係を満たしていればよい。
【０１００】
また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【０１０１】
【図１】本発明の第１の実施形態に係る光ヘッドの概略的な構成を示す図である。
【図２】本発明の第１の実施形態に係る対物レンズ駆動装置の外観斜視図である。
【図３】本発明の第１の実施形態に係る対物レンズ駆動装置の６面図である。
【図４】本発明の第１の実施形態に係るフオーカスコイルとチルトコイルとが組み立てられる前の状況を説明するための図である。
【図５】本発明の第１の実施形態に係るフォーカスコイルとチルトコイルとが組み立てられた後の状況を説明するための図である。
【図６】本発明の第１の実施形態に係るフォーカスコイルが対物レンズ駆動装置へ組み込まれる状況を説明するための図である。
【図７】本発明の第１の実施形態に係るトラックコイルが対物レンズ駆動装置に組み込まれる状況を説明するための図である。
【図８】本発明の第１の実施形態に係るフォーカスコイル、チルトコイル及びトラックコイルが対物レンズ駆動装置へ組み込まれた後の状況を説明するための図である。
【図９】本発明の第１の実施形態に係るフォーカスコイル、トラックコイル及びチルトコイルと磁石との配置を説明するための図である。
【図１０】本発明の第１の実施形態に係るフォーカスコイルとチルトコイルとの各形状を説明するための図である。
【図１１】本発明の第１の実施形態に係るコイルの製造方法を用いた奇数巻きのコイル部からなる２連コイルを説明するための図である。
【図１２】本発明の第１の実施形態に係るコイルの製造方法を用いた偶数巻きのコイル部からなる２連コイルを説明するための図である。
【図１３】単純に積み重ねられた２連コイルを示す図である。
【図１４】本発明の第２の実施形態に係るコイルの製造方法を用いた偶数巻きコイルからなる２連コイルを説明するための図である。
【図１５】本発明の第２の実施形態に係るコイルの製造方法を用いた奇数巻きコイルからなる２連コイルを説明するための図である。
【図１６】本発明の第２の実施形態の変形例に係る第１の偶数巻きコイルの製造方法を説明するための図である。
【図１７】本発明の第２の実施形態の変形例に係る第２の偶数巻きコイルの製造方法を説明するための図である。
【図１８】本発明の第２の実施形態の他の変形例に係る第１の奇数巻きコイルの製造方法を説明するための図である。
【図１９】本発明の第２の実施形態の他の変形例に係る第２の奇数巻きコイルの製造方法を説明するための図である。
【符号の説明】
【０１０２】
１−１，１−２…コイル部（下段コイル部、連コイル）、２−１，２−２…コイル部（上段コイル部、連コイル）、１１…光ヘッド、１２…光ディスク、１３…半導体レーザ、１４…光学系、１５…対物レンズ、１６…光電変換器、１７…対物レンズ駆動装置、１８…フレキシブル印刷配線基板、１９…印刷配線基板、２０…フレキシブル印刷配線基板、２１…ベース、２２…ワイヤホルダ、２３…ワイヤ、２４…レンズホルダ、２６…フォーカスコイル、２７…トラックコイル、２８…チルトコイル、２９…磁石、３０…渡り線。
【図１】
2008077731.tif 000003
【図２】
2008077731.tif 000004
【図３】
2008077731.tif 000005
【図４】
2008077731.tif 000006
【図５】
2008077731.tif 000007
【図６】
2008077731.tif 000008
【図７】
2008077731.tif 000009
【図８】
2008077731.tif 000010
【図９】
2008077731.tif 000011
【図１０】
2008077731.tif 000012
【図１１】
2008077731.tif 000013
【図１２】
2008077731.tif 000014
【図１３】
2008077731.tif 000015
【図１４】
2008077731.tif 000016
【図１５】
2008077731.tif 000017
【図１６】
2008077731.tif 000018
【図１７】
2008077731.tif 000019
【図１８】
2008077731.tif 000020
【図１９】
2008077731.tif 000021